(57)【要約】【課題】橋脚の上部に送り装置や受け架台、揚重設備等を事前に据付けておく必要はなく、橋脚設備設置工程の短縮化や経済的負担を軽減し得る橋梁の送出し工法及びその工法に使用する手延機を提供する。【解決手段】手延機本体の接続端に枢支して接続された先端手延機を、上向に傾倒させた状態で送出し、先端手延機の底部に配設された先頭のローラから順次橋脚上面に接触させ、鉛直ジャッキ付ローラを橋脚上面に接触させた後、その鉛直ジャッキ付ローラで手延機を橋脚上に載架せしめ、その状態で送り装置を橋脚上に設置して、手延機を送り装置に載架し、鉛直ジャッキ付ローラの鉛直ジャッキを縮短させて送り装置により再度送出しをするようにした。【選択図】　　　　　　図１
2004107972.tif 000002
【特許請求の範囲】
【請求項１】
手延機本体の接続端に枢支して接続された先端手延機を、上向に傾倒させた状態で送出し、先端手延機の底部に所定の間隔をおいて配設された複数のローラを、先頭のローラから順次橋脚上面に接触させて行き、手延機本体の先端部の下部に設けた鉛直ジャッキ付ローラを橋脚上面に接触させた後、その鉛直ジャッキ付ローラで手延機を橋脚上に載架せしめ、その状態で送り装置を橋脚上に設置して手延機を送り装置に載架し、鉛直ジャッキ付ローラの鉛直ジャッキを縮短させて送り装置により再度送出しをするようにしたことを特徴とする橋梁の送出し工法。
【請求項２】
鉛直ジャッキ付ローラで手延機を橋脚上に載架せしめた状態で、手延機本体に配設した運搬用レールにより送り装置を運搬し、手延機本体の先端部に設けた揚重設備により送り装置を橋脚上に設置するようにしたことを特徴とする請求項１に記載の橋梁の送出し工法。
【請求項３】
手延機本体と先端手延機を、それぞれの接続端の下端突出部に設けたヒンジ部を介して接続すると共に、接続端の上端部に設けた油圧ジャッキを介して接続して先端手延機を上向に傾倒可能に枢支し、手延機本体の先端部の下部に鉛直ジャッキ付ローラを配設すると共に、先端手延機の底部に所定の間隔をおいてローラを複数個配設したことを特徴とする手延機。
【請求項４】
手延機本体に送り装置を運搬する運搬用レールを配設すると共に、手延機本体の先端部に、送り装置を橋脚上に設置するための揚重設備を設けたことを特徴とする請求項３に記載の手延機。
【請求項５】
手延機本体に作業員が通行するための歩行路を設けると共に、手延機本体の先端部に、鉛直ジャッキ付ローラと油圧ジャッキを作動させるための油圧操作箇所を配置したことを特徴とする請求項３又は４に記載の手延機。
【請求項６】
手延機本体の先端部に、作業員を歩行路より橋脚上に降下させる昇降梯子を設けたことを特徴とする請求項５に記載の手延機。
【発明の詳細な説明】
【０００１】
【発明の属する技術分野】
本発明は、橋梁を橋脚間に架設するための橋梁の送出し工法及びその工法に使用される手延機に関する。
【０００２】
【従来の技術】
図１１は、従来の手延機を用いて、従来の工法により橋梁の送出しを行い、橋梁を橋脚間に架設している先端部分の状況を示す側面図である。
【０００３】
図中２０は橋梁を構成する橋体で、その先端部には連結構２２を介して手延機２１が装着されており、各橋体２０は送出しヤード２３上において順次連結されている。但し、各橋体２０は送出しヤード２３上で全て連結しておいてもよい。
【０００４】
Ｐ０　は送出しヤード２３の先端部の橋脚で、その橋脚Ｐ０　の上部には送り装置２４が設けられ、又、次の橋脚Ｐ１　の上部には送り装置２４と受け架台２５とが設けられている。
【０００５】
また、２６は台車式推進装置で、送出しヤード２３上に施設されたレール２７上を走行し、手延機２１を送出し得るようになっている。
【０００６】
送出しヤード２３上で連結された各橋体２０は、台車式推進装置２６及び橋脚Ｐ０　上の送り装置２４上に載架され、台車式推進装置２６をレール２７に沿って前進させることにより、手延機２１を次の橋脚Ｐ１　上に到達させて、その先端部を橋脚Ｐ１　上部の送り装置２４上に載架させ、順次送出しを行って橋梁が橋脚上の所定位置に全部到達した段階で、送り装置２４をジャッキダウンして橋梁を橋脚上に設けた受け架台２５上に載置し、橋梁を橋脚間に架設するようにしている。
【０００７】
この時、手延機２１の送出しに当り、手延機２１が撓むと、手延機２１の水平を維持することが困難となり、手延機２１の先端が橋脚Ｐ１　上に到達したときに、送り装置２４上にスムーズに載架させることができなくなる恐れがある。
【０００８】
そこで、手延機２１の連結構２２側にジャッキを設け、ジャッキに元付けされたケーブルを、手延機２１との間に間隔をあけてケーブルの先端を手延機２１の先端上面に係止し、そのケーブルの張力で手延機２１の撓みを防止して、手延機２１の水平を維持し、橋梁を橋脚間にスムーズに架設するようにした橋梁の送出し工法や、その工法に使用される手延機等が提案されている。（例えば特許文献１参照）。
【０００９】
【特許文献１】
特開２００１−１９３０１６号公報（第２〜３頁、図１〜図３参照）
【００１０】
【発明が解決しようとする課題】
従来の橋梁の送出し工法及びその工法に使用される手延機を用いて橋梁を橋脚間に架設するに際しては、全ての橋脚の上部に送り装置２４や受け架台２５ならびに支承等を事前に据付ておく必要があり、特に据付される橋脚下の場所が移動式クレーンの配置の困難な工事用場所や、敷地が狭小な場所であったり、河川の渇水期間中であると、工事用場所道路の確保や送出し作業期間の確保等が制約されて経済的負担となり、工程の短期化等が要求されることになる。
【００１１】
又、移動式クレーンとは別の揚重設備としてケーブルクレーン等を使用することもあるが、前記の経済的負担や工期の短期化等の要求に充分に対応することはできない。
【００１２】
又、従来の工法において、手延機２１の先端を橋脚上の設備により引上げて送出したり、手延機２１の桁上部にレールを配置して資機材を運搬したり、手延機２１の桁上部に配置したレール上に揚重設備を設置することもあるが、橋脚上の設備により手延機２１の先端を引上げする場合にも、事前に橋脚上設備の設置を必要とし、地上から高い橋脚や渇水期における河川中の橋脚の場合においては、工事用道路の拡幅やクレーン配置箇所の敷地の確保、揚重設備としてのケーブルクレーンの設置等から、工事の工程においても、経済的にも負担が生じることになる。
【００１３】
特に昨今の橋梁は、免震沓の採用により重量が増加し、橋脚上へ設置する揚重設備が大型化していると共に、手延機２１の桁上部にレールを配置して資機材を運搬する場合には、橋脚上に揚重する別設備を必要とし、かつ手延機２１を事前に仮受するための設備ならびにその設備を設置する揚重設備を必要とし、経済的にも工期においても大きな負担となっている。
【００１４】
本発明は上記従来の問題点を解消するために提案されたもので、橋脚の上部に送り装置や受け架台、手延機の先端部を引上げるための設備や資機材を揚重する別設備等を事前に橋脚の上部に据付ておく必要はなく、又、橋脚下に工事用場所や工事用道路を設けることなく橋梁の送出しを行うことができ、橋脚設備設置工程の短縮化が図れると共に、経済的負担を軽減し得る、橋梁を橋脚間に架設するための橋梁の送出し工法及びその工法に使用される手延機を提供することを課題とするものである。
【００１５】
【課題を解決するための手段】
上記課題を解決するために、請求項１の発明は、手延機本体の接続端に枢支して接続された先端手延機を、上向に傾倒させた状態で送出し、先端手延機の底部に所定の間隔をおいて配設された複数のローラを、先頭のローラから順次橋脚上面に接触させて行き、手延機本体の先端部の下部に設けた鉛直ジャッキ付ローラを橋脚上面に接触させた後、その鉛直ジャッキ付ローラで手延機を橋脚上に載架せしめ、その状態で送り装置を橋脚上に設置して手延機を送り装置に載架し、鉛直ジャッキ付ローラの鉛直ジャッキを縮短させて送り装置により再度送出しをするようにしたことを特徴とする橋梁の送出し工法とした。
【００１６】
これにより、橋脚の上部に送り装置や受け架台、手延機の先端部を引上げるための設備や資機材を揚重する別設備等を事前に橋脚の上部に据付ておく必要はなく、又、橋脚下に工事用場所や工事用道路を設けることなく橋梁の送出しを行うことができ、橋脚設備設置工程の短縮化が図れると共に、経済的負担を軽減し得る、橋梁を橋脚間に架設するための橋梁の送出し工法を提供することができる。
【００１７】
また、請求項２の発明は、請求項１に記載の橋梁の送出し工法において、鉛直ジャッキ付ローラで手延機を橋脚上に載架せしめた状態で、手延機本体に配設した運搬用レールにより送り装置を運搬し、手延機本体の先端部に設けた揚重設備により送り装置を橋脚上に設置するようにしたことを特徴としている。
【００１８】
これにより、請求項１に記載の橋梁の送出し工法において、送り装置はスムーズに運搬され、短時間に橋脚上に設置することができることになる。
【００１９】
また、請求項３の発明は、手延機本体と先端手延機を、それぞれの接続端の下端突出部に設けたヒンジ部を介して接続すると共に、接続端の上端部に設けた油圧ジャッキを介して接続して先端手延機を上向に傾倒可能に枢支し、手延機本体の先端部の下部に鉛直ジャッキ付ローラを配設すると共に、先端手延機の底部に所定の間隔をおいてローラを複数個配設したことを特徴とする手延機とした。
【００２０】
これにより、手延機をスムーズに橋脚上に載架して橋梁の送り出しをすることができ、請求項１に記載の橋梁の送出し工法を実現するために必要な手延機を提供することができる。
【００２１】
また、請求項４の発明は、請求項３に記載の手延機において、手延機本体に送り装置を運搬する運搬用レールを配設すると共に、手延機本体の先端部に、送り装置を橋脚上に設置するための揚重設備を設けたことを特徴としている。
【００２２】
これにより、請求項３に記載の手延機において、送り装置をスムーズに運搬し、短時間に橋脚上に設置し得る構成とすることができる。
【００２３】
また、請求項５の発明は、請求項３又は４に記載の手延機において、手延機本体に作業員が通行するための歩行路を設けると共に、手延機本体の先端部に、鉛直ジャッキ付ローラと油圧ジャッキを作動させるための油圧操作箇所を配置したことを特徴としている。
【００２４】
これにより、請求項３又は４に記載の手延機において、作業員は油圧操作箇所でスムーズに鉛直ジャッキ付ローラと油圧ジャッキを操作することができ、操作性を向上させることができる。
【００２５】
また、請求項６の発明は、請求項５に記載の手延機において、手延機本体の先端部に、作業員を歩行路より橋脚上に降下させる昇降梯子を設けたことを特徴としている。
【００２６】
これにより、請求項５に記載の手延機において、作業員の橋脚上への昇降が容易となり、橋梁の送出し工法を、安全かつスムーズに行うことができることになる。
【００２７】
【発明の実施の形態】
本発明の橋梁の送出し工法及びその工法に使用される手延機の実施の一形態について、図１〜図１０に基づき説明する。
【００２８】
図１は本発明の橋梁の送出し工法に使用される手延機の実施の一形態を示す側面図で、図２は図１に示す手延機の平面図である。
【００２９】
図中Ａは手延機で、手延機Ａは手延機本体１と先端手延機２から構成されている。手延機本体１と先端手延機２とは、それぞれの接続端の下端突出部をヒンジ部３を介して接続されており、先端手延機２の先端側が上向に傾倒し得るようになっている。
【００３０】
なお、図示は省略しているが、手延機本体１の後端には、架設される橋梁の橋体を構成する本体桁が連結されている。
【００３１】
４は手延機本体１と、先端手延機２の上端部を接続する油圧ジャッキで、その油圧ジャッキ４を操作することで、先端手延機２はヒンジ部３に枢支されて上向に傾倒し、油圧によってその位置を維持するように構成されている。
【００３２】
５は鉛直ジャッキ付ローラで、手延機本体１の先端部の下部に図示のように配設されており、先端手延機２の底部には、所定の間隔をおいてローラ６が複数個配設されている。
【００３３】
なお、７は手延機本体１の内部を作業員が通行するための歩行路で、その底面側には資材や備品等を運搬する運搬用レール８が配設されている。
【００３４】
９は運搬用レール８により運搬されて来る送り装置で、１０は運搬されて来たその送り装置９等を橋脚Ｐ１　上に設置するために、手延機本体１の先端部に設けられた揚重設備である。
【００３５】
１１は鉛直ジャッキ付ローラ５の操作や先端手延機２の上向き角度を調整する油圧ジャッキ４を作動させるための油圧操作箇所（操作盤）で、手延機本体１の先端部に配置されている。
【００３６】
但し、油圧操作箇所１１は、他の位置に配置することもできるが、本実施形態では、できるだけ作業場所に接近させて作業を監視できるようにするために、手延機本体１の先端部に配置している。手延機本体１の先端部には、揚重設備１０が設けられているので、設備を集中して配置することを考慮したものである。
【００３７】
なお、１２は作業員を歩行路７より橋脚Ｐ１　上に降下させる時に使用する昇降梯子で、この昇降梯子１２も手延機本体１の先端部に配設されている。
【００３８】
なお、図中の橋脚Ｐ１　は、すべての橋脚の代表として図示したものである。
【００３９】
本実施形態の手延機Ａは上記のように構成されているので、橋梁の送出しをするに際しては、送出しする橋梁の橋体の桁本体の先端に手延機本体１を装着し、更にそれに続けてヒンジ部３と油圧ジャッキ４を介して先端手延機２を送出しヤード上において組立する。
【００４０】
送出し作業において、橋脚Ｐ１　に先端手延機２が接近すると、橋脚Ｐ１　上に先端手延機２の底部に設けたローラ６を接触させ、油圧ジャッキ４を伸長させて送出しを行うことにより次のローラ６を橋脚Ｐ１　上に接触させ、それらの作業を交互に行うことにより手延機本体１の先端部の下部に配設した鉛直ジャッキ付ローラ５を橋脚Ｐ１　上に接触させた後、計算値に基づいた反力になるように鉛直ジャッキを作動させる。
【００４１】
鉛直ジャッキを作動させる為に、手延機本体１の内部に設けた歩行路７を通って作業員を油圧操作箇所１１に配置し、操作させる。
【００４２】
その後、手延機本体１の歩行路７の底面側に設けた運搬用レール８を用いて、送出しヤードより送り装置９を運搬し、揚重設備１０にて橋脚Ｐ１　上に配置する。
【００４３】
次に、送り装置９を機能させ、鉛直ジャッキ付ローラ５の鉛直ジャッキを縮短させて、再度送出し作業を進める。このようにして、次橋脚上も同様な作業を行い、安全かつ経済的に連続して橋梁の送出し作業を行うことができる。
【００４４】
本工法においては、免震沓の運搬も運搬用レール８若しくは橋梁の桁本体の横桁に仮装着させ、所定の位置へ運搬することも出来る。
【００４５】
次に図１及び図２に示す本実施形態の手延機Ａを用いて、橋脚上に事前に仮設備等を設置することなく、橋梁を橋脚間に架設する橋梁の送出し工法を、図３〜図１０に基づいて説明する。
【００４６】
図３は本発明の橋梁の送出し工法の実施の一形態における橋脚到達直前の手延機の先端部分の状況図である。
手延機Ａは手延機Ａならびに後続する橋梁の桁本体の張出し梁状態で下方へ撓みを生じているが、先端手延機２は橋脚Ｐ１　に到達させるべく、油圧ジャッキ４により上向に傾倒して仰角を与えられている。この状態で歩行路７を通って作業員を油圧操作箇所（操作盤）１１に配置し、油圧ジャッキ４の操作を行わせる。但し、ＴＶカメラによる後方での遠隔操作による場合には、必ずしも作業員を配置しておく必要はない。
【００４７】
図４は油圧ジャッキにより仰角を大きく与えて先端手延機を橋脚上面に乗るべく操作を行った先端部分の状況図である。
先端手延機２の底部に配設した先頭のローラ６を橋脚Ｐ１　上面に接触させ、送出しヤードでの台車式推進装置により手延機Ａ、橋梁の桁本体を前方へ送出しする。
送出しと共に次のローラ６と橋脚Ｐ１　の前面を干渉させないように、先端手延機２に更に仰角を与えるため、油圧ジャッキ４を操作させる。この操作時は前方への送出し作業を停止して行う。
【００４８】
図５は油圧ジャッキにより更に仰角を大きく与えて、次のローラが橋脚上面に乗るべく操作を行った先端部分の状況図である。
この図でわかるように、ローラ６の間隔は橋脚Ｐ１　の幅より狭く配置されている。
【００４９】
図６は次のローラが橋脚上面に乗った先端部分の状況図である。
この状態では手延機Ａや橋梁の桁本体による撓みはほとんど解消されており、橋脚Ｐ１　上の障害物およびローラ６の異常がなければ繰返し送出しを行う。
【００５０】
図７は最終のローラとなる鉛直ジャッキ付ローラが橋脚上に乗った先端部分の状況図である。
鉛直ジャッキは、計算値に基づいた荷重になるように、油圧操作箇所１１において油圧操作を行うことにより、橋脚Ｐ１　上ではストロークの伸縮（主として伸びる）となる。
この状態で初めて、作業員を歩行路７より昇降梯子１２を用いて橋脚Ｐ１　上に降下させることが出来る。
【００５１】
図８は後方より運搬用レールによって送り装置が運ばれてきた先端部分の状況図である。
運搬に必要な駆動力は、歩行路７伝いの人力によるロープ牽引でも構わない。なお、橋脚Ｐ１　上から作業員が墜落するのを防止するため、橋脚Ｐ１　の周囲にはネットや手摺等の安全具Ｍを設けることが望ましい。
【００５２】
図９は運ばれてきた送り装置を揚重設備により橋脚上に設置した先端部分の状況図である。
この状態ではまだ鉛直ジャッキ付ローラ５で全ての反力を担っている。
【００５３】
図１０は送り装置によりさらに前方へ送出した先端部分の状況図である。
送り装置９の鉛直ジャッキを作動させて鉛直ジャッキ付ローラ５を開放させ、鉛直ジャッキ付ローラ５のジャッキを縮短して送り装置９により前方へ送出している。
【００５４】
なお、本実施の形態においては、手延機Ａは板構造の手延機本体１とトラス構造の先端手延機２から構成しているが、手延機Ａ全体をトラス構造にしてもよく、手延機Ａ全体を板構造に構成することも可能である。
【００５５】
また、本実施の形態においては、歩行路７の底面側に運搬用レール８を配設しているが、運搬用レール８は手延機本体１を構成する底部桁材の両側面に配設してもよいし、桁材と兼用させることも可能である。
【００５６】
また、鉛直ジャッキ付ローラ５やローラ６、送り装置９、揚重設備１０、昇降梯子１２等は、図示の形状等に限定されるものではなく、必要に応じて任意に設計し得ることは言うまでもない。
【００５７】
【発明の効果】
請求項１の発明は、手延機本体の接続端に枢支して接続された先端手延機を、上向に傾倒させた状態で送出し、先端手延機の底部に所定の間隔をおいて配設された複数のローラを、先頭のローラから順次橋脚上面に接触させて行き、手延機本体の先端部の下部に設けた鉛直ジャッキ付ローラを橋脚上面に接触させた後、その鉛直ジャッキ付ローラで手延機を橋脚上に載架せしめ、その状態で送り装置を橋脚上に設置して手延機を送り装置に載架し、鉛直ジャッキ付ローラの鉛直ジャッキを縮短させて送り装置により再度送出しをするような橋梁の送出し工法としたので、橋脚の上部に送り装置や受け架台、手延機の先端部を引上げるための設備や資機材を揚重する別設備等を事前に橋脚の上部に据付ておく必要はなく、又、橋脚下に工事用場所や工事用道路を設けることなく橋梁の送出しを行うことができ、橋脚設備設置工程の短縮化が図れると共に、経済的負担を軽減することができる。
【００５８】
また、請求項２の発明は、請求項１に記載の橋梁の送出し工法において、鉛直ジャッキ付ローラで手延機を橋脚上に載架せしめた状態で、手延機本体に配設した運搬用レールにより送り装置を運搬し、手延機本体の先端部に設けた揚重設備により送り装置を橋脚上に設置するようにしたので、請求項１に記載の橋梁の送出し工法において、送り装置はスムーズに運搬され、短時間に橋脚上に設置することができる。
【００５９】
また、請求項３の発明は、手延機本体と先端手延機を、それぞれの接続端の下端突出部に設けたヒンジ部を介して接続すると共に、接続端の上端部に設けた油圧ジャッキを介して接続して先端手延機を上向に傾倒可能に枢支し、手延機本体の先端部の下部に鉛直ジャッキ付ローラを配設すると共に、先端手延機の底部に所定の間隔をおいてローラを複数個配設して手延機を構成したので、手延機をスムーズに橋脚上に載架して橋梁の送出しをすることができ、請求項１に記載の橋梁の送り出し工法を実現するために必要な手延機を提供することができる。
【００６０】
また、請求項４の発明は、請求項３に記載の手延機において、手延機本体に送り装置を運搬する運搬用レールを配設すると共に、手延機本体の先端部に、送り装置を橋脚上に設置するための揚重設備を設けたので、請求項３に記載の手延機において、送り装置をスムーズに運搬し、短時間に橋脚上に設置し得る構成とすることができる。
【００６１】
また、請求項５の発明は、請求項３又は４に記載の手延機において、手延機本体に作業員が通行するための歩行路を設けると共に、手延機本体の先端部に、鉛直ジャッキ付ローラと油圧ジャッキを作動させるための油圧操作箇所を配置したので、請求項３又は４に記載の手延機において、作業員は油圧操作箇所でスムーズに鉛直ジャッキ付ローラと油圧ジャッキを操作することができ、操作性を向上させることができる。
【００６２】
また、請求項６の発明は、請求項５に記載の手延機において、手延機本体の先端部に、作業員を歩行路より橋脚上に降下させる昇降梯子を設けたので、請求項５に記載の手延機において、作業員の橋脚上への昇降が容易となり、橋梁の送出し工法を、安全かつスムーズに行うことができることになる。
【００６３】
本発明は以上のような効果を有し、橋梁を橋脚間に架設する上で、実用上きわめて有効な橋梁の送出し工法及び手延機を提供することができる。
【図面の簡単な説明】
【図１】本発明の橋梁の送出し工法に使用される手延機の実施の一形態を示す側面図である。
【図２】図１に示す手延機の平面図である。
【図３】本発明の橋梁の送出し工法の実施の一形態における橋脚到達直前の手延機の先端部分の状況図である。
【図４】油圧ジャッキにより仰角を大きく与えて先端手延機を橋脚上面に乗るべく操作を行った先端部分の状況図である。
【図５】油圧ジャッキにより更に仰角を大きく与えて、次にローラが橋脚上面に乗るべく操作を行った先端部分の状況図である。
【図６】次のローラが橋脚上面に乗った先端部分の状況図である。
【図７】最終のローラとなる鉛直ジャッキ付ローラが橋脚上に乗った先端部分の状況図である。
【図８】後方より運搬用レールによって送り装置が運ばれてきた先端部分の状況図である。
【図９】運ばれてきた送り装置を揚重設備により橋脚上に設置した先端部分の状況図である。
【図１０】送り装置によりさらに前方へ送り出した先端部分の状況図である。
【図１１】従来の手延機を用いて、従来の工法により橋梁の送出しを行い、橋梁を橋脚間に架設している先端部分の状況を示す側面図である。
【符号の説明】
Ａ　　　　　手延機
Ｐ０　，Ｐ１　　橋脚
１　　　　　手延機本体
２　　　　　先端手延機
３　　　　　ヒンジ部
４　　　　　油圧ジャッキ
５　　　　　鉛直ジャッキ付ローラ
６　　　　　ローラ
７　　　　　歩行路
８　　　　　運搬用レール
９　　　　　送り装置
１０　　　　揚重設備
１１　　　　油圧操作箇所
１２　　　　昇降梯子
Ｍ　　　　　ネットや手摺等の安全具
２０　　　　橋体
２１　　　　手延機
２２　　　　連結構
２３　　　　送出しヤード
２４　　　　送り装置
２５　　　　受け架台
２６　　　　台車式推進装置
【図１】
2004107972.tif 000003
【図２】
2004107972.tif 000004
【図３】
2004107972.tif 000005
【図４】
2004107972.tif 000006
【図５】
2004107972.tif 000007
【図６】
2004107972.tif 000008
【図７】
2004107972.tif 000009
【図８】
2004107972.tif 000010
【図９】
2004107972.tif 000011
【図１０】
2004107972.tif 000012
【図１１】
2004107972.tif 000013